(57)【要約】【課題】グリル組立体に付着したホコリを自動的に叩き出せる構造を有する真空掃除機のサイクロン集塵装置を提供する。【解決手段】本発明に係る掃除機本体の吸気路と排気路に連通される集塵室に設けられ吸込ブラシから前記吸気路を介して吸込まれた吸込空気からホコリ及びゴミを遠心分離する真空掃除機のサイクロン集塵装置において、前記吸気路及び排気路それぞれに対応する空気入口及び空気出口を有し、前記集塵室の上部に固定される円筒形のサイクロン本体と、該サイクロン本体の下側に着脱自在に設けられ、前記サイクロン本体で遠心分離されたホコリ及びゴミが回収されるダストカップと、前記サイクロン本体の下部に設けられ、前記ダストカップで前記排気口に移動する空気流動によって回転しつつ塵埃の逆流を防ぐタービンフィルタを有するフィルタ組立体、及び前記タービンフィルタに付着したホコリを自動的に叩き出すためのホコリ叩き部材を含む。【選択図】      図２
2004249068.tif 000002
【特許請求の範囲】
【請求項１】
掃除機本体の吸気路と排気路に連通される集塵室に設けられて吸込ブラシから前記吸気路を介して吸込まれた吸込空気からホコリ及びゴミを遠心分離する真空掃除機のサイクロン集塵装置において、
前記吸気路及び排気路それぞれに対応する空気入口及び空気出口を有し、前記集塵室の上部に固定される円筒形のサイクロン本体と、
前記サイクロン本体の下側に着脱自在に設けられ、前記サイクロン本体で遠心分離されたホコリ及びゴミが回収されるダストカップと、
前記サイクロン本体の下部に設けられ、前記ダストカップで前記排気口に移動する空気流動によって回転しつつ塵埃の逆流を防止するタービンフィルタを有するフィルタ組立体と、
前記タービンフィルタに付着したホコリを自動的に叩き出すためのホコリ叩き部材とを備えることを特徴とする真空掃除機のサイクロン集塵装置。
【請求項２】
前記フィルタ組立体は、
前記サイクロン本体の下部に結合され、空気が通るよう貫通形成されたパイプ部材と、
該パイプ部材の上端に結合され、通気孔を有するカバーと、
前記パイプ部材を通過して回転フィルタを支持し、前記カバーに回転自在に連結されるシャフトを含み、
前記回転フィルタは前記パイプ部材の下端に連結され、前記シャフトに支持されたまま流動空気によって回転されることを特徴とする請求項１に記載の真空掃除機のサイクロン集塵装置。
【請求項３】
前記回転フィルタは、
前記パイプ部材の下端に挿入され、複数の翼を有するタービンと、
該タービンの外周に巻き取られるフィルタ網と、
前記タービンの下端に結合され、前記シャフトの下端に固定され塵埃の逆流を防ぐ逆流防止部材と、を備えることを特徴とする請求項２に記載の真空掃除機のサイクロン集塵装置。
【請求項４】
前記ホコリ叩き部材は、
一端は前記フィルタ組立体の外側に固定され、他端は前記回転フィルタの外側に接触されるブラシが設けられ、前記回転フィルタの回転時前記ブラシによってホコリが自動的に叩き出されることを特徴とする請求項１に記載の真空掃除機のサイクロン集塵装置。
【請求項５】
前記ホコリ叩き部材は、
前記回転フィルタの回転方向に下向き斜線型に設けられることを特徴とする請求項４に記載の真空掃除機のサイクロン集塵装置。
【請求項６】
前記ホコリ叩き部材は、
一端が前記パイプ部材の外周に固定され、他端には前記フィルタ網に接触されるブラシが設けられることを特徴とする請求項２に記載の真空掃除機のサイクロン集塵装置。
【請求項７】
前記ホコリ叩き部材は、
前記タービン部材の回転方向に下向き斜線型に設けられることを特徴とする請求項６に記載の真空掃除機のサイクロン集塵装置。
【発明の詳細な説明】
【０００１】
【発明の属する技術分野】
本発明は真空掃除機に係り、さらに詳しくは自動ホコリ叩き構造を有する真空掃除機のサイクロン集塵装置に関する。
【０００２】
【従来の技術】
サイクロン集塵装置の代表的な一例として、本出願人によって出願された韓国特許出願第１９９９−２０７０４号に開示されているものがあり、その概略的な構造が図１に示されている。
【０００３】
このようなサイクロン集塵装置の一例が図１に示されている。サイクロン集塵装置はサイクロン本体２０と、ダストカップ３０及びグリル組立体４０を備える。
【０００４】
サイクロン本体２０は上下本体部２１、２２に分離形成され、この上下本体部２１、２２は複数のネジ２３によって結合される。下本体部２２には掃除機の吸込口側延長管１ａと連結される第１連結管２４及び第１連結管２４と連通される吸気口２５が形成される。上本体部２１には掃除機の本体側延長管１ｂと連結される第２連結管２６及び第２連結管２６と連通される排気口２７が形成される。吸気口２５を通して吸込まれる空気は斜線方向に吸込まれる。これにより、サイクロン本体２０及びダストカップ３０の内部には旋回気流が形成され、この旋回気流によって空気中に含まれた塵埃は遠心力によって空気から分離される。
【０００５】
ダストカップ３０はサイクロン本体２０に着脱自在に結合され、サイクロン本体２０と協同して吸込まれる空気について旋回気流を形成すると共に、旋回気流によって空気から分離される塵埃を回収する。
【０００６】
グリル組立体４０はサイクロン本体２０の排気口２７に設けられ、ダストカップ３０に回収された塵埃が排気口２７を通して逆流することを防ぐ。このグリル組立体４０はグリルボディ４１と、グリルボディ４１の外周面に排気口２７と通じる流路を形成するよう配置される多数の微細通孔４２と、グリルボディ４１の下端部に形成された円錐形の塵埃逆流防止板４３を備える。
【０００７】
ところが、前述したようなサイクロン集塵装置は長時間掃除する際微細な塵埃が前記グリル組立体の微細通孔４２に引っ掛かって空気流路を塞ぐという問題点がある。従って、ダストカップ３０に塵埃が溜まらない状態でグリル組立体４０に付着したホコリを叩き出すためにダストカップ３０を取り外さなければならないという煩わしさがあった。
【０００８】
また、グリル組立体４０に付着したホコリを叩き出す別の動作を行うべき問題点があった。
【０００９】
【発明が解決しようとする課題】
本発明は前述した問題点を解決するために案出されたもので、その目的はグリル組立体に付着したホコリを自動に叩き出せるよう構造が改善された真空掃除機のサイクロン集塵装置を提供するところにある。
【００１０】
【課題を解決するための手段】
前述した目的を達成するための本発明に係る真空掃除機のサイクロン集塵装置は、掃除機本体の吸気路と排気路に連通される集塵室に設けられ吸込ブラシから前記吸気路を介して吸込まれた吸込空気からホコリ及びゴミを遠心分離する真空掃除機のサイクロン集塵装置において、前記吸気路及び排気路それぞれに対応する空気入口及び空気出口を有し、前記集塵室の上部に固定される円筒形のサイクロン本体と、該サイクロン本体の下側に着脱自在に設けられ、前記サイクロン本体で遠心分離されたホコリ及びゴミが回収されるダストカップと、前記サイクロン本体の下部に設けられ、前記ダストカップで前記排気口に移動する空気流動により回転しつつ塵埃の逆流を防止するタービンフィルタを有するフィルタ組立体、及び前記タービンフィルタに付着したホコリを自動に叩き出すためのホコリ叩き部材と、を備えることを特徴とする。
【００１１】
ここで、前記フィルタ組立体は、前記サイクロン本体の下部に結合され、空気が通るよう貫通形成されたパイプ部材と、該パイプ部材の上端に結合され、通気孔を有するカバーと、前記パイプ部材を通過して回転フィルタを支持し、前記カバーに回転自在に連結されるシャフトを含み、前記回転フィルタは前記パイプ部材の下端に連結され、前記シャフトに支持されたまま流動空気によって回転されることが望ましい。
【００１２】
また、前記回転フィルタは、前記パイプ部材の下端に挿入され、複数の翼を有するタービンと、該タービンの外周に巻き取られたフィルタ網、及び前記タービンの下端に結合され、前記シャフトの下端に固定され塵埃の逆流を防ぐ逆流防止部材を含むことが望ましい。
【００１３】
そして、前記ホコリ叩き部材は、一端は前記フィルタ組立体の外側に固定され、他端は前記回転フィルタの外側に接触されるブラシが設けられ、前記回転フィルタの回転時前記ブラシによってホコリが自動的に叩き出されることが良い。
【００１４】
また、前記ホコリ叩き部材は、前記回転フィルタの回転方向に下向き斜線型に設けられることが望ましい。
【００１５】
そして、前記ホコリ叩き部材は、一端が前記パイプ部材の外周に固定され、他端には前記フィルタ網に接触されるブラシを備えることが望ましい。
【００１６】
また、前記ホコリ叩き部材は、前記タービン部材の回転方向に下向き斜線型に設けられることが望ましい。
【００１７】
【発明の実施の形態】
以下、添付した図面に基づき本発明の望ましい実施例を詳述する。
【００１８】
図２は本発明の実施例によるサイクロン集塵装置が採用されるアップライト型真空掃除機を示す概略的な分離斜視図である。本発明の実施例によるサイクロン集塵装置は、サイクロン本体５０と、ダストカップ６０と、フィルタ組立体７０及びホコリ叩き部材９０とを備える。
【００１９】
サイクロン本体５０は上下本体部５１、５２に分離形成される。上下本体部５１、５２は数個のネジ５３によって互いに結合される。下本体部５２には掃除機の吸込口側延長管１ａと連結される第１連結管５４及び第１連結管５４と連通される吸気口５５が形成される。上本体部５１には掃除機の本体側延長管１ｂと連結される第２連結管５６及び第２連結管５６と連通される排気口５７が形成される。
【００２０】
掃除機の吸込口を介して吸込まれる塵埃を含んだ空気は第１連結管５４及び吸気口５５を介してサイクロン本体５０について斜線方向に吸込まれる。これによりサイクロン本体５０及びダストカップ６０の内部には旋回気流が形成され、この旋回気流によって空気中に含まれた塵埃は遠心力によって空気から分離される。
【００２１】
ダストカップ６０はサイクロン本体５０の排気口５７に着脱自在に結合される。このダストカップ６０はサイクロン本体５０と協同して吸込まれる空気について旋回気流を形成すると共に、旋回気流によって空気から分離される塵埃を回収する。
【００２２】
図３及び図４を参照するに、フィルタ組立体７０はサイクロン本体５０の排気口５７に設けられ、ダストカップ６０に回収された塵埃が排気口５７を通して逆流されることを防ぐ。前述したようなフィルタ組立体７０は図３に示した通り、排気口５７に結合されるパイプ部材７１と、カバー７３と、カバー７３に回転自在に支持されるシャフト７５と、パイプ部材７１の下部に設けられる回転フィルタ７７を備える。
【００２３】
パイプ部材７１は上端が所定形状に拡張された筒状のパイプ構造であって、流出空気の流路を形成する。カバー７３はパイプ部材７１の上部に挿着される。このカバー７３は流出空気が通過するよう中央の軸部７３ａを中心に複数のリブが所定間隔に備えられる。軸部７３ａにはシャフト７５の上端が軸受７６によって回転自在に結合される。従って、シャフト７５はパイプ部材７１と干渉なくそのパイプ部材７１を通過するよう設けられる。
【００２４】
回転フィルタ７７はパイプ部材７１の下端に連結され、シャフト７５に回転自在に支持される。このような回転フィルタ７７はパイプ部材７１の下端に挿入連結されるタービン８１と、タービン８１の外周に巻き取られるフィルタ網８３と、タービン８１の下端に結合される逆流防止部材８５を備える。タービン８１は円周方向に所定間隔に設けられた複数の回転翼８１ａを有することによって、パイプ部材７１の内部に吸込まれる空気によって回転される。フィルタ網８３はダストカップ６０内で遠心分離によって分離されていない微細な塵埃をフィルタリングするようタービン８１の外周に結合され共に回転される。また、逆流防止部材８５はタービン８１の下部に挿入されたままネジ８６によりシャフト７５の下端に固定される。従って、シャフト７５を中心にして回転フィルタ７７が共に回転できるようになる。逆流防止部材８５は下端が外側に拡張するよう形成されたフランジ部８５ａを有することによって微細な塵埃が逆流することを防ぐ。
【００２５】
一方、パイプ部材７１の外側にはホコリ叩き部材９０が設けられる。すなわち、ホコリ叩き部材９０の一端はパイプ部材７１の一端に固定され、他端はフィルタ網８３の外側に置かれる。そして、ホコリ叩き部材９０の他端、すなわち下端にはホコリ叩き用ブラシ９１がフィルタ網８３に接触設置される。
【００２６】
また、タービン８１が時計方向（Ａ）に回転されるにつれ、ホコリ叩き部材９０はタービン８１の回転方向に下向きに傾斜して、すなわち斜線方向に設けられる。従って、回転フィルタ７７の回転時フィルタ網８３から叩かれるホコリ及びゴミはホコリ叩き部材９０の上部に溜らず落下するようになる。このようなホコリ叩き部材９０はネジによってパイプ部材７１に取り付けられ、公知の結合手段を通して結合することもできる。
【００２７】
前述した構成を有する本発明の実施例によるサイクロン集塵装置の動作を説明する。
【００２８】
図５に示した通り、本発明の実施例によるサイクロン集塵装置は従来のもののように、掃除機の延長管１ａ、１ｂに装着され使用される。掃除を開始すれば、掃除機の吸込口に発生する吸引力によってホコリ及びゴミが吸込空気と共に第１連結管５４及び吸気口５５を通してサイクロン本体５０について斜線方向に吸込まれる。これにより空気は旋回気流を形成しつつダストカップ６０の下部に降下する。この過程で遠心力によって空気中に含まれたホコリ及びゴミは空気から分離されダストカップ６０に回収される。
【００２９】
次いで、空気はダストカップ６０の底面で反転上昇運動する気流によってフィルタ組立体７０のフィルタ網８３及びタービン８１を通過してパイプ部材７１内に吸込まれる。そして、吸込まれた空気は排気口５７を介して延長管１ｂに排出される。この際、ダストカップ６０で上昇して気流によって空気と共に上昇する一部の塵埃は逆流防止部材８５にぶつかって反射されることによりその進み方向が旋回気流側に転換され再び降下する。
【００３０】
また、逆流防止部材８５によってもはじき出されない塵埃はフィルタ網８３に引っ掛かってフィルタリングされる。従って、フィルタ網８３には微細な塵埃が引っ掛かって付着される。そして、清浄な空気はフィルタ網８３を通過してタービン８１を通過して排出される。このように排出される空気によってタービン８１は時計方向、すなわちＡ方向に回転する。従って、フィルタ網８３はタービン８１と共に回転しつつホコリ叩き部材９０に接触し続けることによって、フィルタ網８３に付着した塵埃はホコリ叩き部材９０によって自動的に叩かれてとれる。従って、フィルタ網８３がホコリに詰まって空気が円滑に通過できないことを防止できるようになる。また、フィルタ網８３が自動的に叩かれるので、ダストカップ６０のゴミなどを捨てる時もフィルタ組立体７０を別に取り外して塵埃を叩き出す必要がないため便利である。
【００３１】
一方、本発明の実施例ではホコリ叩き部材９０が一つだけ設けられたことに例えて説明したが、これは例示に過ぎず、複数のホコリ叩き部材を所定間隔に設けることもできる。
【００３２】
【発明の効果】
以上述べた通り、本発明に係る真空掃除機のサイクロン集塵装置によれば、フィルタ組立体に回転フィルタが空気によって自動的に回転しつつホコリ叩き部材によって自動的に叩かれる構成を有する。
【００３３】
従って、回転フィルタがホコリなどによって詰まることが防げるので掃除効率が高められ、別に回転フィルタを掃除する必要がないので使い勝手が良くなる利点がある。
【図面の簡単な説明】
【図１】従来の真空掃除機のサイクロン集塵装置を示す断面図である。
【図２】本発明の実施例による真空掃除機のサイクロン集塵装置を示す分離斜視図である。
【図３】図２に示したフィルタ組立体の分離斜視図である。
【図４】図２に示したフィルタ組立体の結合断面図である。
【図５】本発明の実施例によるサイクロン集塵装置の動作を説明するための図である。
【符号の説明】
１ａ    吸込口側延長管
１ｂ    本体側延長管
５０    サイクロン本体
５１    上本体部
５２    下本体部
５３、８６  ネジ
５４    第１連結管
５５    吸気口
５６    第２連結管
５７    排気口
６０    ダストカップ
７０    フィルタ組立体
７１    パイプ部材
７３    カバー
７３ａ  軸部
７５    シャフト
７６    軸受
８１    タービン
８３    フィルタ網
８５    逆流防止部材
８５ａ  フランジ部
９０    ホコリ叩き部材
９１    ホコリ叩き用ブラシ
【図１】
2004249068.tif 000003
【図２】
2004249068.tif 000004
【図３】
2004249068.tif 000005
【図４】
2004249068.tif 000006
【図５】
2004249068.tif 000007